(57)【要約】【課題】搭乗者が読書や食事をする際に、最適な光環境を提供する照明システム及び移動体を提供する。【解決手段】照明システム１は、移動体１００に設置された座席２と、座席２の周囲に配置された壁部と、搭乗者が座席２に座った姿勢において、搭乗者の前方に配置されるテーブル４と、テーブル４を照らす食事灯５と、食事灯５が照らすテーブル４よりも搭乗者側を照らす読書灯６とを備える。そして、食事灯５からテーブル４までの距離が、読書灯６から仮想照射面Ｖまでの距離と等しい場合において、食事灯５から照射されるテーブル４での照度は、読書灯６から照射される仮想照射面Ｖの照度よりも低い。【選択図】図２
2018016222.tif 000002
【特許請求の範囲】
【請求項１】
移動体に設置された座席と、
前記座席の周囲に配置された壁部と、
搭乗者が前記座席に座った姿勢において、搭乗者の正面に配置される机部と、
前記机部を照らす第１光源と、
前記第１光源が照らす前記机部よりも搭乗者側を照らす第２光源とを備え、
前記第１光源から前記机部までの距離が、前記第２光源から仮想照射面までの距離と等しい場合において、前記第１光源から照射される前記机部での照度は、前記第２光源から照射される前記仮想照射面の照度よりも低い
照明システム。
【請求項２】
前記第２光源の照度の均斉度は、前記第１光源の照度の均斉度よりも高い
請求項１記載の照明システム。
【請求項３】
前記第１光源から照射された光における前記机部での照度分布は、前記第１光源の光軸を中心とした中央照射領域と、前記中央照射領域の周囲で、前記中央照射領域よりも照度が低い外周照射領域とを有し、
前記中央照射領域において、前記光軸から遠ざかるに従って照度が低下する度合は、前記外周照射領域において、前記光軸から遠ざかるに従って照度が低下する度合よりも大きい
請求項１又は２記載の照明システム。
【請求項４】
前記中央照射領域の光の色温度は、前記外周照射領域の光の色温度よりも高い
請求項３記載の照明システム。
【請求項５】
前記第１光源における、色再現の目立ち及び鮮やかさの程度を表すＦＣＩ（Ｆｅｅｌｉｎｇ  ｏｆ  Ｃｏｎｔｒａｓｔ  Ｉｎｄｅｘ）は、前記第２光源のＦＣＩよりも高い
請求項１〜４のいずれか１項に記載の照明システム。
【請求項６】
前記第１光源が発する光の色温度は、２７００Ｋ以上５０００Ｋ未満であり、
前記第２光源が発する光の色温度は、５０００Ｋ以上７２００Ｋ以下である
請求項１〜５のいずれか１項に記載の照明システム。
【請求項７】
前記壁部は、前記座席の側方に設けられた側壁を有し、
前記第１光源は、前記第１光源の光軸が前記机部と交差するように、前記側壁に設けられている
請求項１〜６のいずれか１項に記載の照明システム。
【請求項８】
前記側壁は、搭乗者が前記座席に座った姿勢において、搭乗者の左側に設けられ、
前記第１光源は、前記側壁に設けられている
請求項７記載の照明システム。
【請求項９】
前記第１光源は、搭乗者が食事を行う際に点灯する食事灯であり、
前記第２光源は、搭乗者が読書を行う際に点灯する読書灯である
請求項１〜８のいずれか１項に記載の照明システム。
【請求項１０】
前記読書灯は、前記食事灯よりも前記座席側に設けられている
請求項９記載の照明システム。
【請求項１１】
さらに、前記机部に載置される料理に対応した色温度の光を出射させるように前記第１光源を制御する制御部を備える
請求項１〜１０のいずれか１項に記載の照明システム。
【請求項１２】
さらに、前記机部に載置される料理に用いる器を検知し、検知した情報を前記制御部に送信する検知部を備え、
前記制御部は、前記検知部から受信した前記料理に用いる器の情報に基づいて前記第１光源を制御する
請求項１１記載の照明システム。
【請求項１３】
請求項１〜１２のいずれか１項に記載の照明システムを備える航空機である
移動体。
【発明の詳細な説明】
【技術分野】
【０００１】
本発明は、例えば、食事灯及び読書灯等を備えた照明システム及びそれを用いる移動体に関する。
【背景技術】
【０００２】
航空機（移動体の一例）に設けた主シート（座席の一例）と、読書ライト（第１光源又は第２光源の一例）とを備える座席ユニット（照明システムの一例）が知られている（例えば特許文献１参照）。
【０００３】
この座席ユニットでは、読書ライトを点灯させて読書をすることができる。
【先行技術文献】
【特許文献】
【０００４】
【特許文献１】特表２００２−５２７２８８号公報
【発明の概要】
【発明が解決しようとする課題】
【０００５】
従来の照明システムでは、移動体内において、読書灯を点灯させて読書をすることができるが、読書灯を点灯させて食事をしたりすることもできる。しかし、従来の読書灯では、読書用途には適しても、食事用途には適さないため、移動体内における快適さや心地よさを提供することができない。一方で、近年では、移動体内において、搭乗者が読書や食事をするために、より快適な光環境を搭乗者に提供することが望まれている。
【０００６】
そこで本発明は、搭乗者が読書や食事をする際に、最適な光環境を提供することができる照明システム及び移動体を提供することを目的とする。
【課題を解決するための手段】
【０００７】
本発明の一態様に係る照明システムは、移動体に設置された座席と、前記座席の周囲に配置された壁部と、搭乗者が前記座席に座った姿勢において、搭乗者の正面に配置される机部と、前記机部を照らす第１光源と、前記机部よりも搭乗者側を照らす第２光源とを備え、前記第１光源から前記机部までの距離が、前記第２光源から仮想照射面までの距離と等しい場合において、前記第１光源から照射される前記机部での照度は、前記第２光源から照射される前記仮想照射面の照度よりも低い。
【０００８】
また、本発明の一態様に係る移動体は、照明システムを備える航空機である。
【発明の効果】
【０００９】
本発明は、搭乗者が読書や食事をする際に、最適な光環境を提供することができる照明システム及び移動体を提供する。
【図面の簡単な説明】
【００１０】
【図１】図１は、実施の形態１に係る照明システムの使用例を示す模式図である。
【図２】図２の（Ａ）は、実施の形態１に係る照明システムを示す上面図である。図２の（Ｂ）は、実施の形態１に係る照明システムにおける搭乗者の座姿勢の様子を示すイメージ図である。
【図３】図３の（Ａ）は、実施の形態１に係る照明システムにおける搭乗者の食事の様子を示すイメージ図である。図３の（Ｂ）は、実施の形態１に係る照明システムにおける搭乗者の読書の様子を示すイメージ図である。
【図４】図４は、実施の形態１に係る照明システムを示すブロック図である。
【図５】図５は、実施の形態１に係る照明システムを備えた航空機の外観図である。
【図６】図６は、実施の形態１に係る照明システムにおける色温度と読みやすさ感の評価値とを示す図である。
【図７】図７は、実施の形態１に係る照明システムにおける美味しそうに見える得点とＦＣＩとを示す図である。
【図８】図８は、実施の形態１に係る照明システムにおける食事灯及び読書灯の照度分布及び照度勾配を示すイメージ図である。
【図９】図９は、実施の形態２に係る照明システムを示すブロック図である。
【図１０】図１０は、実施の形態２に係る照明システムにおける動作を示すフローチャートである。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
また、「略＊＊」との記載は、「略同一」を例に挙げて説明すると、全く同一はもとより、実質的に同一と認められるものを含む意図である。また、「＊＊近傍」との記載においても同様である。
【００１３】
なお、各図は模式図であり、必ずしも厳密に図示されたものではない。また、各図において、実質的に同一の構成に対しては同一の符号を付しており、重複する説明は省略または簡略化される場合がある。
【００１４】
（実施の形態１）
［構成］
まず、本実施の形態に係る照明システム１の構成について図１〜図５を用いて説明する。
【００１５】
図１は、本実施の形態に係る照明システム１の使用例を示す模式図である。図２の（Ａ）は、本実施の形態に係る照明システム１を示す上面図である。図２の（Ｂ）は、本実施の形態に係る照明システム１における搭乗者の座姿勢の様子を示すイメージ図である。図３の（Ａ）は、本実施の形態に係る照明システム１における搭乗者の食事の様子を示すイメージ図である。図３の（Ｂ）は、本実施の形態に係る照明システム１における搭乗者の読書の様子を示すイメージ図である。図４は、本実施の形態に係る照明システム１を示すブロック図である。図５は、本実施の形態に係る照明システム１を備えた航空機の外観図である。
【００１６】
図２では、照明システム１において、照明システム１における搭乗者の正面側を前方向、その反対側を後方向と規定し、照明システム１における搭乗者の頭上側を上方向、その反対側を下方向と規定し、照明システム１における搭乗者の左側を左方向、その反対側を右方向と規定し、前後、左右及び上下の各方向を表示する。そして、図３に示す各方向は、全て図２に示す各方向に対応させて表示する。なお、図２では、上下方向、左右方向及び前後方向は、使用態様によって変化するため、これには限定されない。以降の図においても、同様である。
【００１７】
本実施の形態に係る照明システム１は、図５に示すように、移動体１００に用いられる照明システム１であり、例えば、航空機のシートで用いられる。なお、本実施の形態に係る照明システム１は、航空機以外の移動体１００のシートで用いられてもよく、移動体１００以外の場所で用いられてもよい。移動体１００は、例えば、列車等の車両であってもよく、船舶であってもよい。
【００１８】
図１、図２の（Ａ）、図２の（Ｂ）及び図４に示すように、照明システム１は、座席２と、壁部３と、テーブル４（机部の一例）と、食事灯５（第１光源の一例）と、読書灯６（第２光源の一例）と、モニタ７と、制御部８と、入力部９とを有する。
【００１９】
座席２は、搭乗者が座るシートであり、背もたれ部２１と、座部２２とを有する。
【００２０】
背もたれ部２１は、座部２２に対して略垂直であり、搭乗者が座姿勢において、主に、搭乗者の背中をささえる。座部２２は、座姿勢において、主に搭乗者の臀部と接し、座姿勢をサポートし、略水平な状態に設けられている。背もたれ部２１及び座部２２は、搭乗者が寝姿勢になれるように、スライドすることにより、背もたれ部２１が座部２２側の端部を軸に回動可能である。搭乗者が寝姿勢になる場合は、背もたれ部２１が座部２２に対して回動し、背もたれ部２１及び座部２２が略水平となる。
【００２１】
壁部３は、パーティションであり、座席２の少なくとも一部を囲うように、座席２の周囲に配置されている。また、壁部３は、背もたれ部２１及び座部２２をスライド可能な状態で支持していてもよい。なお、背もたれ部２１及び座部２２は、壁部３により支持されることが必須の要件ではなく、例えば、専用の支持部材等により背もたれ部２１及び座部２２の少なくとも一つが支持されていてもよい。
【００２２】
本実施の形態において、壁部３は、前側壁部３１と、後側壁部３２と、左側壁部３３（側壁の一例）と、前方右側壁部３４と、後方右側壁部３５とを有し、前方右側壁部３４と後方右側壁部３５との間に形成される出入り口を除き、座席２の周囲を囲んでいる。前側壁部３１は、座席２よりも前側に位置する壁であり、搭乗者が座席２に座った際に、搭乗者と向かい合う。後側壁部３２は、座席２よりも後側に位置する壁であり、搭乗者が座席２に座った際に、搭乗者の背面側に位置する。左側壁部３３は、搭乗者が座席２に座った際に、搭乗者の左側に位置する壁であり、前側壁部３１から後側壁部３２まで配置されている。前方右側壁部３４は、後方右側壁部３５との間に出入り口を形成するように、前側壁部３１から後側壁部３２に向かうように配置されている。後方右側壁部３５は、後側壁部３２から前側壁部３１に向かうように配置されている。なお、前方右側壁部３４又は後方右側壁部３５が側壁の一例であってもよい。
【００２３】
テーブル４は、搭乗者が食事や読書などを行う際に用いられ、本実施の形態では、搭乗者が座席２に座った姿勢において、座席２の前方（正面の一例）に配置される。テーブル４は、例えば、搭乗者が座席２に着座した際に、搭乗者の前方に移動できるような、可動式であってもよく、壁部３等に固定されていてもよく、その構成は特に限定されない。
【００２４】
図３の（Ｂ）に示すように、読書灯６は、発光することによりテーブル４よりも搭乗者側を照らし、具体的には、搭乗者が読書を行う際に使用する照明である。つまり、搭乗者が読書をする際に、搭乗者の手元付近に光を照射する照明である。読書灯６の配置位置は、搭乗者が座姿勢の際に、搭乗者に対して左側に設けられていることが好ましい。本実施の形態では、読書灯６は、左側壁部３３に設けられ、食事灯５と背もたれ部２１との間に設けられている。読書灯６は、搭乗者が座姿勢において、読書灯６の光軸が座部２２と交差し、搭乗者が寝姿勢において、背もたれ部２１又は座部２２と交差するよう設けられている。なお、読書灯６は、読書灯６の光軸がテーブル４の上面に交差するように設けられていてもよい。また、読書灯６が配置される場所は、壁部３に限定されず、例えば、座席２に設けられていてもよく、専用の支持部材等に設けられていてもよく、移動体１００内の天井に設けられていてもよい。また、読書灯６に用いられる光源の種別は特には限定されないが、例えば、ＬＥＤ、蛍光灯、レーザー照明、又は有機ＥＬ等である。
【００２５】
読書灯６が発する光の色温度は、搭乗者が読書を行う際に、本や新聞等の文字を読みやすくする、絵を見やすくしたりするような演出を行う（良好な視環境を提供する）ために、５０００Ｋ以上７２００Ｋ以下としている。つまり、読書灯６は、食事灯５が発する色温度の光と異なる色温度の光を発する。
【００２６】
図６は、本実施の形態に係る照明システム１における色温度と読みやすさ感の評価値とを示す図であり、基準光源下の文字とテスト光下の文字とを比較するマグニチュード推定法（相対評価法）による主観評価により行った結果である。マグニチュード推定法では、基準光下での読み易さを１００とし、テスト光下での文字等が基準光下よりも見やすければ１００より大きい数字で評価し、テスト光下での文字等が基準光下よりも見難ければ１００より小さい数字で評価する。つまり、読みやすさ感の評価値は、文字の読みやすさ、絵の見やすさ等を示す指標であり、読みやすさ感の評価値が１００より大きい光源では、文字や絵等がより鮮明に見えるため、見やすく感じる。
【００２７】
この主観評価は、７つの段階（かなり読みやすい、読みやすい、やや読みやすい、普通、やや読みにくい、読みにくい、かなり読みにくい）に分けて、読みやすさ感の評価値を算出している。やや読みやすいと感じた評価の出現率が５０％以上となる場合に、このマグニチュード推定法では、読みやすさ感の評価値が１１０となった。また、かなり読みやすいと感じた評価の出現率が５０％以上となる場合に、このマグニチュード推定法では、読みやすさ感の評価値が１２０となった。この結果から、光の色温度の上昇ととともに、読みやすさ感の評価値が上昇していることが判る。
【００２８】
図３の（Ｂ）に示すように、読書灯６は、搭乗者が読書を行う際に点灯してもよい。具体的には、搭乗者が任意のタイミングで入力部を介して読書灯６を点灯させてもよい。
【００２９】
図３の（Ａ）に示すように、食事灯５は、発光することによりテーブル４を照らし、具体的には、テーブル４上面に光を照射する照明であり、特に、搭乗者が食事を行う際に使用する照明である。食事灯５の配置位置は、搭乗者が座席２に座った姿勢において、搭乗者に対して左側に設けられていることが好ましい。食事灯５は、食事灯５の光軸がテーブル４の上面と交差するように設けられている。本実施の形態では、食事灯５が左側壁部３３に設けられ、テーブル４の上方に設けられている。また、食事灯５が配置される場所は、壁部３に限定されず、例えば、座席２に設けられていてもよく、専用の支持部材等に設けられていてもよく、移動体１００内の天井に設けられていてもよい。また、食事灯５に用いられる光源の種別は特には限定されないが、例えば、ＬＥＤ、蛍光灯、レーザー照明、又は有機ＥＬ等である。食事灯５及び読書灯６にＬＥＤを用いる例としては、異なる２色以上の光色を有するＬＥＤチップによって実現することができ、ＲＧＢそれぞれのＬＥＤチップの混色、又はさらに白色を加えたＲＧＢＷｈｉｔｅによっても実現することができる。
【００３０】
図７は、本実施の形態に係る照明システム１における美味しそうに見える得点とＦＣＩとを示す図である。
【００３１】
図７では、○の記号では相関色温度を３０００Ｋとし、＋の記号では相関色温度を４０００Ｋとした、ＦＣＩが増加するにつれて美味しそうに見える得点（好ましさ）と、食事灯５のＦＣＩとの関係を示す。食事灯５が発する光の色温度は、搭乗者が食事を行う際に、２７００Ｋ以上５０００Ｋ未満としている。これは、ＦＣＩ（Ｆｅｅｌｉｎｇ  ｏｆ  Ｃｏｎｔｒａｓｔ  Ｉｎｄｅｘ）と呼ばれる、光源の色再現の目立ち及び鮮やかさの程度を表す指標に基づいている。
【００３２】
ＦＣＩは基準光源Ｄ６５で１００を基準とし、ＦＣＩが１００より大きい光源は、基準光源Ｄ６５よりも色を鮮やかに演色し、照明する空間を明るく感じさせる（新編色彩科学ハンドブック［第３版］日本色彩学会編参照）。具体的には、下記の式１により定められる。
【００３３】
【数１】
2018016222.tif 000003
【００３４】
ＧＬＡＢ（Ｔ）は、テスト光下での赤・青・緑・黄の４色配色サンプルのＬＡＢ表色系における色域面積である。ＧＬＡＢ（Ｄ６５）：基準光源Ｄ６５下での同４色配色サンプルのＬＡＢ表色系における色域面積である。
【００３５】
図７より、いずれの相関色温度においても、ＦＣＩが増加するにつれて美味しそうに見える得点が増加していくことが判る。つまり、ＦＣＩを高くすれば、料理がおいしく見えるような演出（照明）ができる（良好な視環境を提供できる）。美味しそうに見える得点は、マグニチュード推定法（相対評価法）による主観評価により行った結果である。マグニチュード推定法では、基準光下での美味しく見え易さを１００（基準値）とし、テスト光下での料理等が基準光下よりも美味しく見えれば１００より大きい数字で評価し、テスト光下での料理等が基準光下よりも美味しく見えなければ１００より小さい数字で評価する。３０００Ｋ、及び４０００Ｋのいずれの色温度でも、ＦＣＩが約１２０で、美味しそうに見えるという結果を得た。これらの結果から、光源の色再現の目立ち及び鮮やかさを出すために、食事灯５のＦＣＩは、読書灯６のＦＣＩよりも高く設定している。
【００３６】
食事灯５は、搭乗者が食事を行う際に点灯してもよい。具体的には、搭乗者が任意のタイミングで入力部を介して食事灯５を点灯させてもよく、移動体１００内に搭乗している客室乗務員が適切なタイミングで入力部を介して食事灯５を点灯させてもよい。また、照明システム１に備えられている検知部がテーブル４に載置された料理を認識して食事灯５を点灯させてもよく、本実施の形態においては、これらの手段に限定されず、公知の手段を用いて食事灯５を点灯させてもよい。
【００３７】
テーブル４における、食事灯５の照度と読書灯６の照度との関係を説明する。
【００３８】
食事灯５の照度は、例えば、食事灯５から距離約３００ｍｍ〜約１２００ｍｍ離れたテーブル４で、天面サイズが略Ａ３の照射面に対して、一般的には平均１００〜８００ｌｘが推奨されている。一方、読書灯６の照度は、食事灯５と同じ距離とした場合には、平均１５０〜１０００ｌｘが推奨されている（ＪＩＳ  Ｚ９１１０  照明基準総則参照）。食事灯５の光の照射強度を読書灯６の光の照射強度より低くすることで、食事時には食べ物がおいしそうに見える演出を行い、読書時には読みやすい演出を行う。
【００３９】
食事灯５及び読書灯６において、食事灯５からテーブル４までの距離が、読書灯６から仮想照射面Ｖまでの距離と等しい場合において食事灯５から照射されるテーブル４での照度は、読書灯６から照射される仮想照射面Ｖの照度よりも低い。本実施の形態では、読書灯６は、搭乗者の手元近傍を照らすように設けられている。仮想照射面Ｖは、読書灯６から照射された光が照射される面であり、水平な面を想定している。仮想照射面Ｖは、本、新聞、スマートフォン等の対象物であってもよい。
【００４０】
食事灯５及び読書灯６における照度の均斉度について説明する。
【００４１】
均斉度とは、照射面における平均照度に対する最小照度の比率であり、明るさの変動（均一性）を示す指標である。なお、均斉度では、照射面の中心（照射面と光軸とが交差する点）から、ある一定の距離間における照度勾配で示すこともできる。
【００４２】
図８は、本実施の形態に係る照明システム１における食事灯５及び読書灯６の照度分布及び照度勾配を示すイメージ図である。図８では、食事灯５がテーブル４に光を照射した場合の照度分布と、読書灯６が仮想照射面Ｖに光を照射した場合の照度分布とを示している。この照度分布は、食事灯５において、食事灯５の光軸を中心とした中央照射領域Ｐ１と、中央照射領域Ｐ１の周囲で、中央照射領域Ｐ１よりも照度が低い外周照射領域Ｐ２とを有する。食事灯５では、中央照射領域Ｐ１及び外周照射領域Ｐ２において、光軸から遠ざかるにしたがって次第に照度が低下している。
【００４３】
食事灯５において、中央照射領域Ｐ１内では、照射面の中心（最大照度）から中央照射領域Ｐ１の最外面（最小照度）までの照度勾配が、食事灯５における外周照射領域Ｐ２内における、外周照射領域Ｐ２の内周付近（最大照度）から外周照射領域Ｐ２の最外面（最小照度）までの照度勾配よりも大きい（単位距離当たりの明暗が激しい）。つまり、中央照射領域Ｐ１において、食事灯５の光軸から遠ざかるに従って照度が低下する度合は、外周照射領域Ｐ２において、食事灯５の光軸から遠ざかるに従って照度が低下する度合よりも大きい。また、外周照射領域Ｐ２の内周付近とは、外周照射領域Ｐ２における、中央照射領域Ｐ１と外周照射領域Ｐ２との境界近傍の領域である。
【００４４】
中央照射領域Ｐ１では、照射面の中心と、照射面の最外面との照度差が大きい（照度勾配が大きい）ため、均斉度が低い。また、外周照射領域Ｐ２では、照射面の中心と照射面の最外面との照度差が中央照射領域Ｐ１よりも小さい（照度勾配が小さい）ため、中央照射領域Ｐ１よりも均斉度が高い。なお、読書灯６における照射面（中央照射領域Ｐ１及び外周照射領域Ｐ２）の照度の均斉度は、後述する食事灯５の照度の均斉度よりも高い。均斉度が低ければ、照射面の中心と外周照射領域Ｐ２の最外面との輝度差が大きくなり、読書灯６を用いて料理に光を照射するよりも、料理などが鮮やかに見え易い。
【００４５】
食事灯５において、中央照射領域Ｐ１の光の色温度は、外周照射領域Ｐ２の光の色温度よりも高い。例えば、中央照射領域Ｐ１における平均の色温度は、外周照射領域Ｐ２における平均の色温度よりも１５０Ｋ以上高くてもよい。
【００４６】
一方、読書灯６では、照射面の中心（最大照度）から照射面の最外面（最小照度）までの照度勾配が、食事灯５の照度勾配に比べて小さい。つまり、読書灯６では、照射面の中心と、照射面の最外面との照度差が小さく（照度勾配が小さく）、均斉度が高い。均斉度が高ければ、照射面の中心と照射面の最外面との輝度差が小さくなり、文字などが見え易い。例えば、本に照射した場合における、読書灯６の均斉度は、約０．７以上が望ましい（ＪＩＳ  Ｚ９１１０  照明基準総則参照）。均斉度が約約０．７以上で保たれている領域は、照射面の中心から約２５０ｍｍ〜約４５０ｍｍまであることが好ましい。
【００４７】
図４に示すように、制御部８は、食事灯５、読書灯６、入力部９等と電気的に接続され、これらを制御することができる。制御部８は、入力部９を介し、食事灯５及び読書灯６を照明制御する。制御部８は、食事灯５において、テーブル４に載置される料理に対応した色温度の光を出射させるように制御する。
【００４８】
入力部９は、食事灯５、読書灯６及びモニタ７等を操作する操作端末である。入力部９には、例えば、日本料理の点灯モード、中華料理の点灯モード、朝食の点灯モード、夕食の点灯モード等、料理（食事メニュー）やシーンに適した複数の選択項目（点灯モード）が設けられている。
【００４９】
搭乗者が料理に応じた照明制御を行う場合は、該当する料理に適した照明を行うように、例えば、入力部９から日本料理の点灯モードを選択する。すると、制御部８が日本料理の点灯モードとなり、搭乗者の食事灯５から日本料理に適した、４０００Ｋ以上５０００Ｋ未満の色温度の光を照射する。例えば、日本料理では、器の色と料理の色とのコントラストが鮮明に見えるように、高い色温度の光を出射するように制御する。また、例えば、イタリア料理などの洋食や中華料理といった、肉料理、パン、赤ワイン等では、食事灯５が２７００Ｋ以上４０００Ｋ未満の色温度の光を照射させる。このように、料理に適した色温度の光を出射する。なお、入力部９は、移動体１００内における客室乗務員が操作できるように、照明システム１の外部に設けられていてもよい。
【００５０】
モニタ７は、映像を表示する装置であり、本実施の形態では、前側壁部３１に設置されている。なお、モニタ７は、専用の支持部材に設置されていてもよい。
【００５１】
以上のように、本実施の形態に係る照明システム１では、搭乗者が食事を行う際には、食事灯５がテーブル４に載置されている料理に光を照射する。また、搭乗者が読書を行う際には、読書灯６が本等に光を照射する。これにより、照明システム１では、食事や読書などの用途に合わせた、光環境を提供する。
【００５２】
［作用効果］
次に、本実施の形態における照明システム１の作用効果について説明する。
【００５３】
上述したように、本実施の形態に係る照明システム１は、移動体１００に設置された座席２と、座席２の周囲に配置された壁部と、搭乗者が座席２に座った姿勢において、搭乗者の前方に配置されるテーブル４と、テーブル４を照らす食事灯５と、食事灯５が照らすテーブル４よりも搭乗者側を照らす読書灯６とを備える。そして、食事灯５からテーブル４までの距離が、読書灯６から仮想照射面Ｖまでの距離と等しい場合において、食事灯５から照射されるテーブル４での照度は、読書灯６から照射される仮想照射面Ｖの照度よりも低い。
【００５４】
この構成によれば、食事灯５と読書灯６とがそれぞれ異なる場所を照射する。搭乗者が食事を行う際には、食事灯５がテーブル４に載置されている料理に光が照射されることで、料理が美味しそうに見える。また、搭乗者が読書を行う際には、読書灯６が本等に光が照射されることで、文字等が均一な明るさで見えるため、読みやすい。このため、食事や読書といった用途に合わせた、良好な視環境を提供することができ、心地良さを実現することができる。
【００５５】
したがって、この照明システム１では、搭乗者が読書や食事をする際に、最適な光環境を提供することができる。
【００５６】
また、本実施の形態に係る移動体１００は、照明システム１を備える航空機である。
【００５７】
この構成においても、本実施の形態に係る照明システム１と同様の作用効果を奏する。
【００５８】
また、本実施の形態に係る照明システム１において、食事灯５は、搭乗者が食事を行う際に点灯する。そして、読書灯６は、搭乗者が読書を行う際に点灯する。
【００５９】
この構成においても、食事や読書といった用途に合わせた、良好な視環境を提供することができ、心地良さを実現することができる。
【００６０】
また、本実施の形態に係る照明システム１において、読書灯６は、食事灯５よりも座席２側に設けられている。
【００６１】
この構成によれば、搭乗者が読書を行う際と、食事を行う際との、光を照射する位置関係が考慮される。食事灯５を読書灯６として使用すると、その設置位置は搭乗者の顔から遠い位置にあり、照射距離が遠く効率的であるとはいえない。一方で、本実施の形態では、読書灯６が、本等の読み物に近づく構成となっているため、搭乗者の頭上近辺から光を照射することで、読書を行う際に効率的な支援ができる。このため、読書灯６から過度な光を照射する必要がなく、読書のために必要最低限の光量を照射すればよく、省電力化を実現することができる。
【００６２】
また、本実施の形態に係る照明システム１において、読書灯６の照度の均斉度は、食事灯５の照度の均斉度よりも高い。
【００６３】
この構成によれば、読書灯６の方が食事灯５よりも輝度差が小さいため、全体が略均一に明るく、文字等が見え易い。このため、読書灯６は、食事灯５よりも読書を行う際にはより好適である。
【００６４】
また、本実施の形態に係る照明システム１において、食事灯５から照射された光におけるテーブル４での照度分布は、食事灯５の光軸を中心とした中央照射領域Ｐ１と、中央照射領域Ｐ１の周囲で、中央照射領域Ｐ１よりも照度が低い外周照射領域Ｐ２とを有する。中央照射領域Ｐ１において、光軸から遠ざかるに従って照度が低下する度合は、外周照射領域Ｐ２において、光軸から遠ざかるに従って照度が低下する度合よりも大きい。
【００６５】
この構成によれば、食事灯５では、読書灯６よりも照度勾配が大きいため、料理に立体感（鮮やかさ）を演出することができる。このため、料理の美味しさをより引き出す演出を行うことができる。
【００６６】
また、本実施の形態に係る照明システム１において、中央照射領域Ｐ１の光の色温度は、外周照射領域Ｐ２の光の色温度よりも高い。
【００６７】
この構成によれば、食事灯５では、料理がより明るく強調されたように見える。このため、料理の美味しさをより引き出す演出を行うことができる。
【００６８】
また、本実施の形態に係る照明システム１において、食事灯５における、色再現の目立ち及び鮮やかさの程度を表すＦＣＩ（Ｆｅｅｌｉｎｇ  ｏｆ  Ｃｏｎｔｒａｓｔ  Ｉｎｄｅｘ）は、読書灯６のＦＣＩよりも高い。
【００６９】
この構成によれば、料理における色合いがより鮮やかに見えるため、料理がより美味しく見える。
【００７０】
また、本実施の形態に係る照明システム１において、食事灯５が発する光の色温度は、２７００Ｋ以上５０００Ｋ未満である。そして、読書灯６が発する光の色温度は、５０００Ｋ以上７２００Ｋ以下である。
【００７１】
この構成によれば、食事灯５は、読書灯６よりも低い色温度にすることで、料理における色合いの鮮やかさを鮮明にすることで、料理をより美味しく見せることができる。このため、搭乗者は、食欲がそそられる。また、読書灯６は、食事灯５に比べて高い色温度にすることで、読書における紙の白さを際立たせることができる（コントラスト感を高めることができる）。このため、読書を行う際には、文字や絵などを見やすい。
【００７２】
また、本実施の形態に係る照明システム１において、壁部は、座席２の側方に設けられた左側壁部３３を有する。そして、食事灯５は、食事灯５の光軸がテーブル４と交差するように、左側壁部３３に設けられている。
【００７３】
この構成によれば、食事灯５の光軸がテーブル４と交差するように、テーブル４に光を照射するため、テーブル４に載置された料理に影ができ難くなる。このため、搭乗者に違和感を与え難い。
【００７４】
また、本実施の形態に係る照明システム１において、左側壁部３３は、搭乗者が座席２に座った姿勢において、搭乗者の左側に設けられる。そして、食事灯５は、左側壁部３３に設けられている。
【００７５】
この構成によれば、右利きの人は世界中の約９割を占めるため、右利きの人が食事をする際に、腕等による影が生じ難い。このため、搭乗者に違和感を与え難い。
【００７６】
また、本実施の形態に係る照明システム１は、さらに、料理に対応した色温度の光を出射させるように食事灯５を制御する制御部８を備える。
【００７７】
この構成によれば、食事メニューとして、例えば、日本料理では白色が冴える高色温度の照明が好適である。このため、料理に合わせた色温度にすることで、器の色と料理の色とのコントラストが鮮明に見え、高級感や清涼感を演出することができる。その結果、料理をより美味しく見せることができる。
【００７８】
（実施の形態２）
以下、本実施の形態に係る照明システム２００について、図９及び図１０を用いて説明する。
【００７９】
図９は、本実施の形態に係る照明システム２００を示すブロック図である。図１０は、本実施の形態に係る照明システム２００における動作を示すフローチャートである。
【００８０】
本実施の形態では、検知部２０１が設けられている点で実施の形態１と相違している。
【００８１】
本実施の形態における他の構成は、実施の形態１と同様であり、同一の構成については同一の符号を付して構成に関する詳細な説明を省略する。
【００８２】
食事灯５は、料理に応じた色温度の光を、テーブル４に載置された料理に照射することができる。料理に応じた色温度の光は、日本料理、中華料理、イタリア料理等、複数の料理に応じた点灯モードでの光である。なお、料理に応じた色温度の光は、これらに限定されず、朝食、昼食、夕食等のシーンに応じた光であってもよい。
【００８３】
検知部２０１は、テーブル４に載置された器と、器の色や形等を認識することが可能なセンサであり、例えば、カメラなどを用いてもよい。検知部２０１は、検知した情報（器の情報）を制御部８に送信する。検知部２０１は、テーブル４に載置された器を認識することができれば如何様に設けられていてもよい。なお、他に、料理を認識することができる方法であれば、公知の技術を用いてもよい。
【００８４】
制御部８は、検知部２０１が検知した情報を受信し、検知部２０１が検知した器の情報に基づいて料理を認識する。具体的には、検知した情報が、例えば、黒色の器であるなら日本料理、赤色の器であるなら中華料理、黄色の器であるならイタリア料理等、器の色と料理との対応付けが予めなされている。このような対応付けされている情報は、記憶部に格納されていてもよい。
【００８５】
制御部８は、受信した情報から、料理に対応した点灯モードを選択し、料理に適した光を出力するように食事灯５を制御する。制御部８は、例えば、日本料理の点灯モードでは、器の色と料理の色とのコントラストが鮮明に見えるように、高い色温度の光を出射するように制御する。
【００８６】
［動作］
以下、上記照明システム２００を用いた料理を認識する動作について説明する。
【００８７】
まず、照明システム２００は、搭乗者の操作により起動する。検知部２０１は、器の色や形等を検知するため、テーブル４に器が載置されているか否かを検知する（ステップＳ１）。テーブル４に器が載置されていない場合（ステップＳ１ではＮＯ）は、ステップＳ１に戻る。一方、テーブル４に器が載置されている場合（ステップＳ１ではＹＥＳ）、検知部２０１は、料理が盛られる器の色や形等を検知し、検知した情報を制御部８に送信する（ステップＳ２）。
【００８８】
次に、制御部８は、検知部２０１から受信した情報に基づいて、料理に対応した点灯モードを選択する（ステップＳ３）。
【００８９】
次に、制御部８は、日本料理、中華料理、イタリア料理等に適した光を出力するように食事灯５を制御する（ステップＳ４）。こうして、このフローは終了し、スタートに戻る。
【００９０】
［作用効果］
次に、本実施の形態における照明システム２００の作用効果について説明する。
【００９１】
上述したように、本実施の形態に係る照明システム２００は、さらに、テーブル４に載置される料理に用いる器を検知し、検知した情報を制御部８に送信する検知部２０１を備える。そして、制御部８は、検知部２０１から受信した料理に用いる器の情報に基づいて食事灯５を制御する。
【００９２】
この構成によれば、搭乗者が食事灯５の点灯を行う動作を行うことなく、料理に対応した点灯が自動的にされるため、搭乗者の操作負担を軽減することができる。
【００９３】
また、本実施の形態における照明システム２００の作用効果についても、実施の形態１の照明システム１と同様の作用効果を奏する。
【００９４】
（その他変形例等）
以上、本発明に係る照明システムについて、実施の形態に基づいて説明したが、本発明は、上記実施の形態に限定されるものではない。
【００９５】
例えば、上記実施の形態において、座席は、足置き部を有していてもよい。背もたれ部の上端部が、座席後方の壁部に沿って上下にスライドしてもよい。上端部が下方向にスライドするのに連動して下端部が前方にスライドしてもよい。また、当該下端部のスライドに伴い、座部及び足置き部も前方にスライドしてもよい。また、足置き部は、座部側の端部を軸に回動可能であり、座姿勢においては略垂直となり、寝姿勢においては略水平となってもよい。この場合、搭乗者が寝姿勢になる場合では、背もたれ部、座部及び足置き部が略水平に一列となるため、搭乗者は寝姿勢になりやすい。
【００９６】
また、上記実施の形態において、搭乗者がテーブル上でパソコンを操作している場合などで、料理が運ばれてきた際には、自動的に食事灯が点灯しないように、入力部を介して操作することができてもよい。
【００９７】
例えば、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９８】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【００９９】
１、２００  照明システム
２  座席
３  壁部
４  テーブル（机部）
５  食事灯（第１光源）
６  読書灯（第２光源）
８  制御部
３３  左側壁部（側壁）
１００  移動体
２０１  検知部
【図１】
2018016222.tif 000004
【図２】
2018016222.tif 000005
【図３】
2018016222.tif 000006
【図４】
2018016222.tif 000007
【図５】
2018016222.tif 000008
【図６】
2018016222.tif 000009
【図７】
2018016222.tif 000010
【図８】
2018016222.tif 000011
【図９】
2018016222.tif 000012
【図１０】
2018016222.tif 000013